(57)【要約】【課題】  非接触ＩＣタグの電波強度が所定時間以上一定の状態を保っている場合、その非接触ＩＣタグが管理する対象物が存在しないように認識し、その管理情報を更新する非接触情報記録媒体管理装置を提供する。【解決手段】  この非接触ＩＣタグ管理装置１００は、非接触ＩＣタグ２００（以下、単にＩＣタグと記す）と電気的に非接触の形で通信してＩＣタグ２００上に記録してある情報（ＩＤ情報など）を読み取るアンテナから構成する非接触ＩＣタグ受信部１と、受信するＩＣタグ２００のＩＤ情報と状態とタイプと対応するデータおよび入退室時刻を記録する対象物管理テーブル部５と、ＩＣタグ２００と非接触ＩＣタグ受信部１での受信時の電波強度を一定時間測定し記録する電波強度測定部２と、電波強度測定部２で記録した電波強度の時間的な変化を計測する電波強度変化測定部３と、電波強度変化測定部３の変化の仕方によってＩＣタグ２００のＩＤ情報と関連付けられた情報とを管理する対象物管理テーブル部５の情報を更新するデータ処理部４とを備えて構成される。【選択図】  図１
2006330861.tif 000002
【特許請求の範囲】
【請求項１】
移動体が所持する非接触情報記録媒体との交信状態に基づいて当該移動体の状態を管理する非接触情報記録媒体管理装置において、
前記非接触情報記録媒体に記録されている関連情報を受信する受信手段と、該受信手段により受信した当該非接触情報記録媒体に関する前記関連情報を記録する対象物管理テーブル手段と、前記受信手段により受信した電波強度を時系列に記録する電波強度測定手段と、該電波強度測定手段により記録した電波強度の変化を計算する電波強度変化測定手段と、前記対象物管理テーブル手段に記録した非接触情報記録媒体に対応する前記関連情報を更新するデータ処理手段と、を備えたことを特徴とする非接触情報記録媒体管理装置。
【請求項２】
前記関連情報には、少なくとも前記非接触情報記録媒体のＩＤ情報、当該非接触情報記録媒体が移動体であるか否かを示す種類情報、当該非接触情報記録媒体の持ち主が在室か否かを示す状態情報、及び対応するデータが記録されていることを特徴とする請求項１に記載の非接触情報記録媒体管理装置。
【請求項３】
前記データ処理手段は、前記対象物管理テーブル手段に記録した関連情報中の前記種類情報が移動体で、且つ前記状態情報が在室状態を示している場合にも、前記電波強度変化測定手段による測定結果に基づいて前記状態情報を不在として更新することを特徴とする請求項１又は２に記載の非接触情報記録媒体管理装置。
【請求項４】
移動体が所持する非接触情報記録媒体との交信状態に基づいて当該移動体の状態を管理する非接触情報記録媒体管理方法において、
前記非接触情報記録媒体に記録されている関連情報を受信する受信ステップと、該受信ステップにより受信した当該非接触情報記録媒体に関する前記関連情報を記録する対象物管理テーブルステップと、前記受信ステップにより受信した電波強度を時系列に記録する電波強度測定ステップと、該電波強度測定ステップにより記録した電波強度の変化を計算する電波強度変化測定ステップと、前記対象物管理テーブルステップに記録した非接触情報記録媒体に対応する前記関連情報を更新するデータ処理ステップと、を備えたことを特徴とする非接触情報記録媒体管理方法。
【請求項５】
前記関連情報には、少なくとも前記非接触情報記録媒体のＩＤ情報、当該非接触情報記録媒体が移動体であるか否かを示す種類情報、当該非接触情報記録媒体の持ち主が在室か否かを示す状態情報、及び対応するデータが記録されていることを特徴とする請求項４に記載の非接触情報記録媒体管理方法。
【請求項６】
前記データ処理ステップは、前記対象物管理テーブルステップに記録した関連情報中の前記種類情報が移動体で、且つ前記状態情報が在室状態を示している場合にも、前記電波強度変化測定ステップによる測定結果に基づいて前記状態情報を不在として更新することを特徴とする請求項４又は５に記載の非接触情報記録媒体管理方法。
【請求項７】
請求項４乃至６に記載の非接触情報記録媒体管理方法の各ステップをコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、非接触情報記録媒体管理装置に関し、さらに詳しくは、非接触情報記録媒体の電波強度が所定時間以上一定の場合、その非接触ＩＣタグが管理する対象物が存在しないように管理する非接触情報記録媒体管理装置に関するものである。
【背景技術】
【０００２】
近年、ＩＣカードと呼ばれる情報記録媒体が市場に広く出回っている。ＩＣカードは、クレジットカード、銀行カード、ポイントカード等のカード状、あるいはシート状の形状を備え、カード内にＩＣ（Integrated Circuit）が組み込まれているものを総称した名称である。最近では、ＩＣカードと同様の原理で情報を記録する非接触ＩＣタグ（無線ＩＣタグ）が、各種物品に付されて物品の種別や内容の判別、分類整理、在庫管理等の多様な分野において効率化に貢献している。また産業界においてバーコードに代わる商品識別・管理技術として研究が進められてきたが、それに留まらず社会のＩＴ化・自動化を推進する上での基盤技術として注目が高まっている。無線ＩＣタグは対環境性に優れた数ｃｍ程度の大きさで、電波や電磁波で読み取り器と交信する。形状は、ラベル型、カード型、コイン型、スティック型など様々であり、用途に応じて選択する。また通信距離は数ｍｍ程度のものから数ｍのものがあり、これも用途に応じて使い分けられる。将来的にはすべての商品に微小な無線ＩＣタグが添付され、世界的な流通インフラとなる可能性がある。例えば食品を買ってきて冷蔵庫に入れると自動的に識別し、保持している食品のリストを作ったり賞味期限を知らせたりするインテリジェント冷蔵庫などのＩＴ家電が構想されている。
このような非接触ＩＣタグを利用した人物や物品の監視・管理システムは従来技術として数多く提案されている。例えば、特許文献１では、物品および人員が建物内を移動する時にそれらを継続的に追跡するように設計されたシステムについて開示している。
【特許文献１】特許第３１４７３０６号
【発明の開示】
【発明が解決しようとする課題】
【０００３】
しかし、特許文献１に開示されている従来技術では、特に人物に関して非接触ＩＣタグにより部屋の在室状況や不在状況を管理する場合に、人物のように対象が移動すると、非接触ＩＣタグを例えば机の上に置いたまま部屋を出て行った場合でも、その人物は在室であると認識してしまう。これでは、非接触ＩＣタグによる人物や物品の管理の信頼性を著しく低下させてしまうといった問題がある。
本発明は、かかる課題に鑑み、非接触ＩＣタグの電波強度が所定時間以上一定の状態を保っている場合、その非接触ＩＣタグが管理する対象物が存在しないように認識し、その管理情報を更新する非接触情報記録媒体管理装置を提供することを目的とする。
【課題を解決するための手段】
【０００４】
本発明はかかる課題を解決するために、請求項１は、移動体が所持する非接触情報記録媒体との交信状態に基づいて当該移動体の状態を管理する非接触情報記録媒体管理装置において、前記非接触情報記録媒体に記録されている関連情報を受信する受信手段と、該受信手段により受信した当該非接触情報記録媒体に関する前記関連情報を記録する対象物管理テーブル手段と、前記受信手段により受信した電波強度を時系列に記録する電波強度測定手段と、該電波強度測定手段により記録した電波強度の変化を計算する電波強度変化測定手段と、前記対象物管理テーブル手段に記録した非接触情報記録媒体に対応する前記関連情報を更新するデータ処理手段と、を備えたことを特徴とする。
本発明の非接触情報記録媒体管理装置は、この非接触情報記録媒体に記録されている関連情報を受信する受信手段と、受信した関連情報をテーブルに記録する対象物管理テーブル手段と、受信信号の電波強度を時系列に記録する電波強度測定手段と、その電波強度の変化度合いを計算する電波強度変化測定手段と、関連情報を更新するデータ処理手段とを備えている。
請求項２は、前記関連情報には、少なくとも前記非接触情報記録媒体のＩＤ情報、当該非接触情報記録媒体が移動体であるか否かを示す種類情報、当該非接触情報記録媒体の持ち主が在室か否かを示す状態情報、及び対応するデータが記録されていることを特徴とする。
関連情報として、非接触情報記録媒体を識別するＩＤ情報と、人物が持ち歩いて移動するものか、或いは移動しない物に備えたものかを示す種類情報と、非接触情報記録媒体の持ち主が実際にその非接触情報記録媒体を所持して在室しているか否かを示す状態情報と、対応するデータが記録されている。
【０００５】
請求項３は、前記データ処理手段は、前記対象物管理テーブル手段に記録した関連情報中の前記種類情報が移動体で、且つ前記状態情報が在室状態を示している場合にも、前記電波強度変化測定手段による測定結果に基づいて前記状態情報を不在として更新することを特徴とする。
非接触情報記録媒体の電波強度は人物に付けているだけでその強度は変化する。従って、電波強度変化測定手段の測定結果が所定のレベルで一定となった場合、非接触情報記録媒体を取り外して席を離れたとみなすことができる。即ち、このようなときは状態情報を不在として更新しても誤りではない。
請求項４は、移動体が所持する非接触情報記録媒体との交信状態に基づいて当該移動体の状態を管理する非接触情報記録媒体管理方法において、前記非接触情報記録媒体に記録されている関連情報を受信する受信ステップと、該受信ステップにより受信した当該非接触情報記録媒体に関する前記関連情報を記録する対象物管理テーブルステップと、前記受信ステップにより受信した電波強度を時系列に記録する電波強度測定ステップと、該電波強度測定ステップにより記録した電波強度の変化を計算する電波強度変化測定ステップと、前記対象物管理テーブルステップに記録した非接触情報記録媒体に対応する前記関連情報を更新するデータ処理ステップと、を備えたことを特徴とする。
本発明は請求項１と同様の作用効果を奏する。
【０００６】
請求項５は、前記関連情報には、少なくとも前記非接触情報記録媒体のＩＤ情報、当該非接触情報記録媒体が移動体であるか否かを示す種類情報、当該非接触情報記録媒体が存在しているか否かを示す状態情報、及び対応するデータが記録されていることを特徴とする。
本発明は請求項２と同様の作用効果を奏する。
請求項６は、前記データ処理ステップは、前記対象物管理テーブルステップに記録した関連情報中の前記種類情報が移動体で、且つ前記状態情報が在室状態を示している場合にも、前記電波強度変化測定ステップによる測定結果に基づいて前記状態情報を不在として更新することを特徴とする。
本発明は請求項３と同様の作用効果を奏する。
請求項７は、請求項４乃至６に記載の非接触情報記録媒体管理方法の各ステップをコンピュータに実行させるためのプログラム。
請求項８は、請求項７に記載のプログラムを記録したコンピュータ読み取り可能な記録媒体。
【発明の効果】
【０００７】
請求項１、４の発明によれば、非接触情報記録媒体に記録されている関連情報を受信する受信手段と、受信した関連情報をテーブルに記録する対象物管理テーブル手段と、受信信号の電波強度を時系列に記録する電波強度測定手段と、その電波強度の変化度合いを計算する電波強度変化測定手段と、関連情報を更新するデータ処理手段とを備えているので、人物の在室管理を非接触情報記録媒体で行なう場合に、実際には人物が不在であるにも関わらず、非接触情報記録媒体を机上などに放置して部屋を出て行った場合に、間違って在室と認識せずに、不在状態として認識できるようになるため、非接触情報記録媒体による人物や物品の管理を行なう場合の信頼性を向上することができる。
また請求項２、５では、関連情報として、少なくとも非接触情報記録媒体を識別するＩＤ情報と、人物が持ち歩いて移動するものか、或いは移動しない物に備えたものかを示す種類情報と、非接触情報記録媒体の持ち主が実際にその非接触情報記録媒体を所持して在室しているか否かを示す状態情報と、対応するデータが記録されているので、関連情報を認識して電波の強弱のデータから正確に人物や物品の管理を行なうことができる。
また請求項３、６では、電波強度変化測定手段の測定結果が所定のレベルで一定となった場合、非接触情報記録媒体を取り外して席を離れたとみなすことができるので、このようなときは状態情報を不在として更新することができる。
また請求項７では、本発明の非接触情報記録媒体管理方法をコンピュータが制御可能なＯＳに従ってプログラミングすることにより、そのＯＳを備えたコンピュータであれば同じ処理方法により制御することができる。
また請求項８では、プログラムをコンピュータが読み取り可能な形式で記録媒体に記録することにより、この記録媒体を持ち運ぶことにより何処でもプログラムを稼動することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
移動体が所持する非接触情報記録媒体との交信状態に基づいて当該移動体の状態を管理する非接触情報記録媒体管理装置において、前記非接触情報記録媒体に記録されている関連情報を受信する受信手段と、該受信手段により受信した当該非接触情報記録媒体に関する前記関連情報を記録する対象物管理テーブル手段と、前記受信手段により受信した電波強度を時系列に記録する電波強度測定手段と、該電波強度測定手段により記録した電波強度の変化を計算する電波強度変化測定手段と、前記対象物管理テーブル手段に記録した非接触情報記録媒体に対応する前記関連情報を更新するデータ処理手段と、を備えた。
【０００９】
図１は本発明の一実施形態に係る非接触ＩＣタグ管理装置ブロック図である。この非接触ＩＣタグ管理装置１００は、非接触ＩＣタグ（非接触情報記録媒体）２００（以下、単にＩＣタグと記す）と電気的に非接触の形で通信してＩＣタグ２００上に記録してある情報（ＩＤ情報など）を読み取るアンテナから構成する非接触ＩＣタグ受信部（受信手段）１と、受信するＩＣタグ２００のＩＤ情報と状態とタイプと対応するデータおよび入退室時刻を記録する対象物管理テーブル部（対象物管理テーブル手段）５と、ＩＣタグ２００と非接触ＩＣタグ受信部１での受信時の電波強度を一定時間測定し記録する電波強度測定部（電波強度測定手段）２と、電波強度測定部２で記録した電波強度の時間的な変化を計測する電波強度変化測定部（電波強度変化測定手段）３と、電波強度変化測定部３の変化の仕方によってＩＣタグ２００のＩＤ情報と関連付けられた情報とを管理する対象物管理テーブル部５の情報を更新するデータ処理部（データ処理手段）４とを備えて構成される。
尚、個々のＩＣタグ２００は固有のＩＤ情報を持ち、ＩＣタグ２００が発する電波には、そのＩＤ情報が含まれる。ＩＤ情報はあらかじめそれぞれのＩＤが重ならないような数値や文字列を用いて、ＩＣタグに記録しておく。ＩＣタグはある特定の周期でタグに記録されている情報を発振する。例えば市販されているＩＣタグで言えば、０．５秒間隔、１秒間隔、あるいは７秒間隔といった間隔で発振するものがある。さらに、本発明で用いる一つ以上のＩＣタグの情報はあらかじめ対象物管理テーブル部５に記憶しておく。対象物管理テーブル部５には、例えば編集用のテキストエディタなどを用いてＩＤ情報とタイプとデータを入力しておく。
【００１０】
図２は本発明の非接触ＩＣタグ受信部１の処理の流れを示すフローチャートである。前述したようにＩＣタグとは、微小な無線チップにより人やモノを識別・管理する仕組みで、耐環境性に優れた数ｃｍ程度の大きさのタグにデータを記憶し、電波や電磁波で受信機と交信するものである。ユーザがＩＣタグを非接触ＩＣタグ受信部１のアンテナに近づけて、ＩＣタグが認識できた場合（Ｓ１でＹＥＳのルート）、つまり、ＩＣタグと電波により交信できる状態になると、ＩＣタグ中に記録したＩＤ情報を読み出す（Ｓ２）。ＩＤ情報とは例えば、数値や文字列から構成されたそのタグを特定する固有の情報である。ＩＤ情報を読み出して、さらにはＩＣタグとの交信時の電波強度を記録する（Ｓ３）。またＩＣタグと交信できない場合は（Ｓ１でＮＯのルート）、この受信処理を繰り返す。
図３は本発明の電波強度測定部の処理の流れを示すフローチャートである。ＩＤ情報がＩＤ番であるタグの電波強度をｐ（ＩＤ）とする。また、このＩＤに関する電波強度を記録するための記憶バッファをＢｕｆ［ＩＤ］とし、そのバッファには入力した電波強度の値を配列としてＢｕｆ［ＩＤ］［０］、Ｂｕｆ［ＩＤ］［１］、Ｂｕｆ［ＩＤ］［２］、…、Ｂｕｆ［ＩＤ］［Ｍａｘ］のように記録するとする。このとき電波強度測定部２の処理としては、電波強度ｐ（ＩＤ）を受信すると（Ｓ１１）、順次Ｂｕｆ［ＩＤ］に記録している電波強度のデータを後ろに一つずつ送りながら（Ｓ１３、Ｓ１４、Ｓ１６）、バッファの一番先頭Ｂｕｆ［ＩＤ］［０］にｐ（ＩＤ）の値を代入する（Ｓ１５）。
【００１１】
図９は電波強度測定部２で測定した電波強度と、それを記憶する記憶バッファの様子を示した模式図である。電波強度は、人体の影響、外部環境の影響などによって逐次変化する。ステータス１とステータス２を例として想定する。この図のように、次々と測定される電波強度の値について、最近のＭａｘのサイズ分の値を記憶する。
即ち、人物は例えば部屋の自分の場所に座っている場合でも、微動したり、人体からの電波への影響のため、ＩＣタグの電波強度が変化する。一方、人物が例えばＩＣタグを机の上に置いたまま部屋を出て行った場合、そのＩＣタグはタグとして認識し続けるが、人体などの影響が軽減するため、電波強度がある程度一定な状態となることが予想される。すなわち、ＩＣタグは人間がつけているだけで変化し、その変化はＩＣタグのみの場合に比べて大きい。
例えば、ＩＣタグの電波強度が０から２５５の値で変換すると、ＩＣタグを身体につけずに放置すると「１６１、１６２、１６１、１６０、１５９、１５８、１５９、１５８、１５９、１５９」（分散１．３５、最小二乗法による傾き−０．３５）といった幅で値が変化する。これを身体に着けた状態にすると「１４１、１５３、１５９、１３４、１５９、１６７、１５５、１８２、１３５、１５５」（分散１４．６７、最小二乗法による傾き１．１３）といった幅で値が変化する。つまり前者の場合は、ＩＣタグを机に置き忘れたような場合を指し、この場合でも電波強度にばらつきは見られるがそのばらつきは小さいことがわかる。また、後者のように身に着けている場合は、電波強度の変化のばらつきが大きいことがわかる。
ＩＣタグのみの場合にも電波強度の値は変化するがその変化が誤差範囲におさまるのである。本発明はこのようなヒューリスティックスに基づいて、人物がＩＣタグを放置したまま不在状態になった場合に、適切に不在であることを検知する技術である。
【００１２】
図４は本発明の電波強度変化測定部の処理の流れを示すフローチャートである。図３の処理で計測したＢｕｆ［ＩＤ］について、最小二乗法による当てはめを行なう（Ｓ２１）。最小二乗法とは与えられたデータに対して、モデルとなる多項式を当てはめる処理を指す。Ｂｕｆ［ＩＤ］には経過時間ごとに順次計測した電波強度の値が記録されている。最小二乗法については、識者にとって自明であるためここでは説明を割愛する。本発明に最小二乗法を適用する場合、図５のように横軸に経過時間、縦軸に電波強度をとった場合、当てはめる直線１０とデータ（ａ〜ｄ）との距離の差を最小とするように直線の成分を計算（回帰直線）することを指している。
図４の説明に戻ると、最小二乗法による当てはめを行い、そこで求めた回帰直線の傾きがなだらかかどうかを判定する（Ｓ２２）。すなわち傾きがなだらかということは測定した電波強度がある経過時間の間で変化が少なかったことを表している。傾きがなだらかだった場合（Ｓ２２でＹＥＳのルート）、変数ｊの値を増やす（例えば１とする。ｊの初期状態は０を代入する）（Ｓ２３）。傾きがなだらかな状態とは例えば、図５の回帰直線の傾きの大きさが０．５より小さい場合になだらかであると判断し、０．５以上の場合にはそうでないと判断することを指す。この値はあくまで例であって本発明を設置する場所などの状況によって変わるものである。
次に、このｊの値がｊの最大値Ｊｍａｘを超えたかどうかを判定する（Ｓ２４）。Ｊｍａｘとは例えば値を３とするということは、傾きの変化の計算の処理が３回連続してなだらかであると判定するということになる。ｊがＪｍａｘを超えた場合（Ｓ２４でＹＥＳのルート）、ｊを０に戻して（Ｓ２５）、対象物管理テーブル部を更新する（Ｓ２６、Ｓ２７）。一方、ステップＳ２２で回帰直線の傾きがなだらかでない場合（Ｓ２２でＮＯのルート）、ｊが正の値であるかをチエックし（Ｓ２８）、正であれば（Ｓ２８でＹＥＳのルート）、ｊをデクリメントする。
【００１３】
図６は本発明の対象物管理テーブル部のテーブルの一例を示す図である。対象物管理テーブル部５は、理想的にはパソコンのＣＰＵのような記憶装置で実現されており、情報をマトリクス状に管理できるものである。対象物管理テーブル部５には、ＩＣタグを固有に識別するＩＤを保持する「ＩＤ情報」２０、該当するＩＣタグのＩＤ情報が非接触ＩＣタグ受信部１で受信されたかどうかの受信状態を保持する「受信」２１、そのタグの持ち主（人あるいは物）の「状態」２２（在室か不在か）、部屋の名前を記録する「部屋名」２３、入室した時刻を表す「入室時刻」２４、退室した時刻を表す「退室時刻」２５、その対象物の「タイプ」（人物か物品かなど）２６、その対象物を表す文字列「データ」２７（人名「佐藤」、物品名「複写機」など）を持つ。
部屋名２３はどの部屋にＩＣタグが存在しているのかを保持し、不在の場合はそれまで最近どの部屋にいたのかを保持するのに利用する。入室時刻２４はＩＣタグがその部屋に入ってきた時刻、退室時刻２５はそのＩＣタグが部屋から出て行った場合（あるいは本発明で「不在」と判別された場合）の時刻を保持するのに利用する。
例えば、ＩＣタグのＩＤ情報の値が１のものとして、そのタグの状態が「在室」、そのＩＣタグのタイプが「人物」、そのタグの表す情報が「佐藤」であり、このようにマトリクス状に情報が記録されている。
【００１４】
図７は本発明のデータ処理部の処理の流れを示すフローチャートである。データ処理部４では、電波強度変化測定部３の結果と、認識したＩＣタグの対象物のタイプと状態に応じて、該当するＩＣタグに相当する対象物管理テーブル部５の状態を更新する。ここで、認識したＩＣタグに対応する対象物管理テーブル部５のタイプが「人物」であると判定され、なおかつ状態が「在室」と判定された場合、その状態を「不在」に更新する。その他の場合は、処理を行なわない。
このように処理することにより、例えば実際にはタグを部屋に置いたまま帰宅したような人物がいた場合、本発明により、実際には不在であるのに在室となっている人物について、「不在」状態に更新することができる。つまり、ＩＤ情報が送られてきて、なおかつ電波強度が一定の場合に、そのＩＣタグの対象物を「不在」とするという効果を得る。
【００１５】
図１０にはＩＣタグが非接触ＩＣタグ受信部で受信できなかった場合に、該当するＩＣタグに関して対象物管理テーブル部の状態を「不在」に更新する処理の流れを示すフローチャートである。対象物である人物がＩＣタグを身に着けたまま部屋を退室した場合、非接触ＩＣタグ受信部１は該当するＩＣタグからの電波を受信できなくなる。対象物管理テーブル部５に記憶する各ＩＣタグ（１番から最大値ＩＤＭａｘ）の情報に対して、対象物管理テーブル部５に記録されている各ＩＣタグからの情報を受信したかどうかを判断する（Ｓ４２）。受信した場合は（Ｓ４２でＹＥＳのルート）、該当する非接触ＩＣタグの「受信」を「○」に更新する（Ｓ４３）。受信しなかった場合は（Ｓ４２でＮＯのルート）、該当するＩＣタグの「状態」を「不在」に更新し（Ｓ４５）、「受信」を「×」に更新する（Ｓ４６）。本発明の趣旨をこの図において説明するなら、ＩＣタグの「受信」が「○」であるときに、実際には不在であるにもかかわらずＩＣタグを机上などに放置しておいたために「在室」になってしまう問題を解決するものである。
これら全体の処理を具体的なデータを用いて説明する。例えば、あるＩＣタグの電波強度について、図３と図９で説明したように、ある時点の記憶バッファの値が「１６１、１６２、１６１、１６０、１５９、１５８、１５９、１５８、１５９、１５９」（ｎ＝１、２、．．．、１０）であるとする。これらバッファに記憶した値を図４で説明したように最小二乗法によってその直線の傾きを求めると−０．３５となる。この傾きの大きさ（絶対値）は０．５よりも小さいため、すなわち回帰直線の傾きがなだらかであると判断する。この場合は、ＩＣタグが認識されたにもかかわらず、その電波強度の変化が小さいため、例えば机に置き忘れたような状況であることが予想される。図７のように対象物管理テーブル部５に記録されている該当ＩＣタグに対応する対象物が「人物」であるかどうかを判断して、人物である場合には、状態を「不在」にする。
【００１６】
次に、上述した一連の処理を実行するプログラムをコンピュータにインストールして実行可能な状態とするために用いられる媒体について説明する。プログラムは例えば図８（ａ）に示すようにコンピュータ５０に内蔵されている記録媒体としてのハードディスク５１に、あらかじめインストールした状態で提供できる。プログラムは図８（ｂ）に示すように、記録媒体５２に一時的あるいは永続的に格納し、コンピュータ５３にユニットとして組み込んだり、あるいは着脱式の記録媒体として利用することで、パッケージソフトウェアとして提供できる。記録媒体としては、図８（ｃ）に示すように、例えばフロッピー（登録商標）ディスク５４、ＣＤ−ＲＯＭ（Compact Disc Read Only Memory）５５、ＭＯ(Magneto Optical)ディスク５６、ＤＶＤ（Digital Versatile Disc）５７、磁気ディスク５８、半導体メモリ５９などが利用できる。
またプログラムは図８（ｄ）に示すように、ダウンロードサイト６０から、ＬＡＮ(Local Area Network)やインターネットといったネットワーク６１を介して、有線または無線でコンピュータ６２に転送し、そのコンピュータ６２において、内蔵するハードディスクなどにダウンロードさせるようにすることができる。
【図面の簡単な説明】
【００１７】
【図１】本発明の一実施形態に係る非接触ＩＣタグ管理装置ブロック図である。
【図２】本発明の非接触ＩＣタグ受信部１の処理の流れを示すフローチャートである。
【図３】本発明の電波強度測定部の処理の流れを示すフローチャートである。
【図４】本発明の電波強度変化測定部の処理の流れを示すフローチャートである。
【図５】本発明の電波強度と経過時間の関係を示す図である。
【図６】本発明の対象物管理テーブル部のテーブルの一例を示す図である。
【図７】本発明のデータ処理部の処理の流れを示すフローチャートである。
【図８】一連の処理を実行するプログラムをコンピュータにインストールして実行可能な状態とするために用いられる媒体について説明する図である。
【図９】電波強度測定部２で測定した電波強度と、それを記憶する記憶バッファの様子を示した模式図である。
【図１０】本発明のＩＣタグが非接触ＩＣタグ受信部で受信できなかった場合に、該当するＩＣタグに関して対象物管理テーブル部の状態を「不在」に更新する処理の流れを示すフローチャートである。
【符号の説明】
【００１８】
１  非接触ＩＣタグ受信部、２  電波強度測定部、３  電波強度変化測定部、４  データ処理部、５  対象物管理テーブル部、１００  非接触ＩＣタグ管理装置、２００  非接触ＩＣタグ
【図１】
2006330861.tif 000003
【図２】
2006330861.tif 000004
【図３】
2006330861.tif 000005
【図４】
2006330861.tif 000006
【図５】
2006330861.tif 000007
【図６】
2006330861.tif 000008
【図７】
2006330861.tif 000009
【図８】
2006330861.tif 000010
【図９】
2006330861.tif 000011
【図１０】
2006330861.tif 000012